(57)【要約】【課題】非接触で戸締まり状態を監視することができ、しかもセンサ部に電池電源を備えたり、有線で電源を供給することなく、更に窓側への信号線の配線を特に必要とせず、しかも集中管理も容易に行え、施工コストも安価な戸締まり監視装置を提供することにある。【解決手段】センサ部４は、窓枠又はガラス窓に取り付けるマグネット１と、ガラス窓又は窓枠に取り付けられ、マグネット１の磁力で駆動されるリードスイッチ２及びリードスイッチ２のスイッチ信号を含むコードを応答信号の情報として返すパッシブで且つＲＦ型のＩＤタグ３とで構成される。監視部５はＩＤタグ３と交信可能な屋内の位置に配置され、ＩＤタグ３からの応答信号の有／無及び応答信号として送られてくる情報内容に基づいて戸締まり状態を判断する。【選択図】図１
2006285863.tif 000002
【特許請求の範囲】
【請求項１】
建物の開口部の開閉自在に装着された建具の戸締まり状態に応じて開閉する接点手段及び該接点手段の開閉信号を含むコードを応答信号の情報として返すパッシブで且つＲＦ型のＩＤタグからなるセンサ部と、
前記ＩＤタグに対して無変調の搬送波で電力を供給する起動信号及び起動信号の送信後に情報取得用信号を送信して前記ＩＤタグから応答信号により情報を取得する監視部とを備え、
前記監視部は、前記ＩＤタグと交信可能な屋内の位置に配置され、前記ＩＤタグからの応答信号の有／無及びＩＤタグから応答信号として送られてくる情報内容に基づいて戸締まり状態を判断することを特徴とする戸締まり監視装置。
【請求項２】
前記建具がガラス窓であって、前記接点手段を構成するリードスイッチ及び前記ＩＤタグ、又はリードスイッチを駆動するマグネットの一方を前記ガラス窓に取り付け、他方を窓枠側に取り付け、前記監視部は戸締まり状態の判断として、前記ＩＤタグからの応答信号の情報内容によりガラス窓の開閉状態の判断を行うことを特徴とする請求項１記載の戸締まり監視装置。
【請求項３】
前記リードスイッチ及び前記ＩＤタグを前記ガラス窓の窓ガラスに取り付け、前記マグネットを前記窓枠に取り付け、前記監視部は、前記ＩＤタグからの応答信号が受信されないときに窓ガラスやセンサ部の異常と判断することを特徴とする請求項２記載の戸締まり監視装置。
【請求項４】
前記建具が閉成された状態で前記建具の施錠を行うクレセント錠のクレセント本体に前記接点手段を構成するリードスイッチ及びＩＤタグ、又はリードスイッチを磁力で駆動するマグネットの一方を取り付け、他方を、前記クレセント錠のクレセント受けを設けた部位に取り付け、前記監視部は戸締まり状態の判断として、前記ＩＤタグからの応答信号の情報内容によりクレセント錠の施錠／解錠状態を判断することを特徴とする請求項１記載の戸締まり監視装置。
【発明の詳細な説明】
【技術分野】
【０００１】
本発明は、窓やドアなどの戸締まりを監視する戸締まり監視装置を提供することにある。
【背景技術】
【０００２】
従来窓などの戸締まり検知にはリードスイッチと、マグネットの組み合わせによる防犯センサが用いられている場合が多いが、この場合、マグネットを開閉される窓やドアのような建具に取り付け、建具が閉じられた状態でリードスイッチの動作信号を取り出すためにリードスイッチに通電を行う必要があり、信号線を配線する必要があった。
【０００３】
一方窓ガラスの破壊を検知するためのセンサとしてＩＤ（ＩＣ）タグを用いた窓ガラスの破壊検出装置を提供されている（例えば、特許文献１）。
【０００４】
この破壊検出装置は、ＩＤタグを窓ガラス側に取り付け、窓のレールの屋内側にタグリーダたる監視装置を配置してＩＤタグと監視装置との間で交信を行い、ＩＤタグからの通信が途絶えたときに窓ガラスが破壊されたと検出するものである。
【特許文献１】特開２００５−４３１６号公報（段落番号００１６，００１７）
【発明の開示】
【発明が解決しようとする課題】
【０００５】
ところで、クレセント錠で施錠されている窓から泥棒が侵入する場合、ガラス窓全体を割ると大きな音がするため、クレセント錠付近の窓ガラスの一部を切り抜いたり、割ったりするのが通常である。
【０００６】
一方特許文献１に開示されている破壊検出装置は、ＩＤタグが監視装置との交信領域から出ることが検出動作の必須であるため、一部が割られると全体が粒状となって破壊される強化ガラスを用いた窓ガラスが前提となっており、そのため強化ガラスを用いていない一般家庭には不向きであった。
【０００７】
また監視装置を各窓に取り付ける必要があって、そのため各監視装置への電源供給線を配線しなければならず、また一箇所で集中管理する場合には監視装置以外に管理装置を設け必要もあり、結果コスト的に高くなるという問題があった。
【０００８】
本発明は、上述の点に鑑みて為されたもので、その目的とするところは、パッシブでＲＦ型のＩＤタグを用いたセンサ部により非接触で戸締まり状態を監視することができ、しかもセンサ部に電池電源を備えたり、有線で電源を供給することなく、更に窓側への信号線の配線を特に必要とせず、しかも集中管理も容易に行え、施工コストも安価な戸締まり監視装置を提供することにある。
【課題を解決するための手段】
【０００９】
上述の目的を達成するために、請求項１の発明では、建物の開口部の開閉自在に装着された建具の戸締まり状態に応じて開閉する接点手段及び該接点手段の開閉信号を含むコードを応答信号の情報として返すパッシブで且つＲＦ型のＩＤタグからなるセンサ部と、前記ＩＤタグに対して無変調の搬送波で電力を供給する起動信号及び起動信号の送信後に情報取得用信号を送信して前記ＩＤタグから応答信号により情報を取得する監視部とを備え、前記監視部は、前記ＩＤタグと交信可能な屋内の位置に配置され、前記ＩＤタグからの応答信号の有／無及びＩＤタグから応答信号として送られてくる情報内容に基づいて戸締まり状態を判断することを特徴とする。
【００１０】
請求項１の発明によれば、接点手段の開閉信号を含むコードからなるＩＤタグの応答信号信号の情報の内容により戸締まり状態を監視部で判断することができ、これにより戸締まり忘れや不法侵入を検知することができ、またＩＤタグからの応答信号が無くなった場合にセンサ部の異常を検知することができ、結果確実な戸締まり状態の監視が可能で防犯効果を高めることができ、しかもＩＤタグへの電源供給は監視部から非接触で供給することができるので、電池電源の交換のような煩雑さや電源供給の配線の必要もなく、その上非接触でＩＤタグの情報を取得することができるためセンサ部からの信号線が不要となり、また一つの監視部で複数箇所の集中監視することも容易となり、結果施工コストも安価な戸締まり監視装置を提供することができる。
【００１１】
請求項２の発明では、請求項１の発明において、前記建具がガラス窓であって、前記接点手段を構成するリードスイッチ及び前記ＩＤタグ、又はリードスイッチを駆動するマグネットの一方を前記ガラス窓に取り付け、他方を窓枠側に取り付け、前記監視部は戸締まり状態の判断として、前記ＩＤタグからの応答信号の情報内容によりガラス窓の開閉状態の判断を行うことを特徴とする。
【００１２】
請求項２の発明によれば、ガラス窓の開閉状態で検知することができ、戸締まり忘れやガラス窓からの侵入を確実に検知できる。
【００１３】
請求項３の発明では、前記リードスイッチ及び前記ＩＤタグを前記ガラス窓の窓ガラスに取り付け、前記マグネットを前記窓枠に取り付け、前記監視部は、前記ＩＤタグからの応答信号が受信されないときに窓ガラスやセンサ部の異常と判断することを特徴とする。
【００１４】
請求項３の発明によれば、窓ガラスが割られてＩＤタグが破壊若しくは応答不可能な状態になった場合や、センサ部のＩＤタグやリードスイッチの故障を、ガラス窓の戸締まり状態とともに監視部で検知することができる。
【００１５】
請求項４の発明では、請求項１の発明において、前記建具が閉成された状態で前記建具の施錠を行うクレセント錠のクレセント本体に前記接点手段を構成するリードスイッチ又は該リードスイッチを磁力で駆動するマグネットの一方を取り付け、他方を、前記クレセント錠のクレセント受けを設けた部位に取り付け、前記監視部は戸締まり状態の判断として、前記ＩＤタグからの応答信号の情報内容によりクレセント錠の施錠／解錠状態を判断することを特徴とする。
【００１６】
請求項４の発明によれば、クレセント錠の施錠忘れの発見や、窓ガラスを割って解錠を行うとする侵入者の発見ができ、防犯対策を向上させることができる。
【発明の効果】
【００１７】
本発明は、接点手段の開閉信号を含むコードからなるＩＤタグの応答信号信号の情報の内容により戸締まり状態を監視部で判断することができ、これにより戸締まり忘れや不法侵入を検知することができ、またＩＤタグからの応答信号が無くなった場合にセンサ部の異常を検知することができ、結果確実な戸締まり状態の監視が可能で防犯効果を高めることができ、しかもＩＤタグへの電源供給は監視部から非接触で供給することができるので、電池電源の交換のような煩雑さや電源供給の配線の必要もなく、その上非接触でＩＤタグの情報を取得することができるためセンサ部からの信号線が不要となり、また一つの監視部で複数箇所の集中監視することも容易となり、結果施工コストも安価な戸締まり監視装置を提供することができるという効果がある。
【発明を実施するための最良の形態】
【００１８】
以下本発明を実施形態により説明する。
【００１９】
（実施形態）
本実施形態の戸締まり監視装置は、図１に示すようにマグネット１と、リードスイッチ２と、ＩＤタグ３とからなるセンサ部４と、ＩＤタグ３のタグリーダ機能を備えた監視部５とで構成される。
【００２０】
ここでセンサ部４に用いるＩＤタグ３は信号処理を行うタグ制御ＩＣ３０と、このタグ制御ＩＣ３０のアンテナ端子に接続されるアンテナコイル１と、タグ制御ＩＣ３０のコイル接続端子Ｃ１、Ｃ２間に接続され、充電電荷によってタグ制御ＩＣ３０の電源部を構成するとともにアンテナコイル３１とで共振回路を構成するコンデンサ３２とで構成される。タグ制御ＩＣ３０は４つのＩＤ設定端子ｉｎ１〜ｉｎ４を備え、この４つのＩＤ設定端子ｉｎ１〜ｉｎ４の入力論理値によって決まる４ビット（００００〜１１１１の１６種）のＩＤ情報を応答信号として返すようになっており、この４つのＩＤ設定端子ｉｎ１〜ｉｎ４の一つｉｎ４にリードスイッチ２を接続し、残りの３つｉｎ１〜ｉｎ３に夫々スイッチＳＷ１〜ＳＷ３を接続して、３つのスイッチＳＷ１〜ＳＷ３の状態を固定することで、タグ制御ＩＣ３０は上位３ビットが固定され、最下位の１ビットがリードスイッチ２のオン／オフ状態で決まる種類のＩＤ情報を応答信号と返すようになっており、上位３ビットでＩＤタグ３を特定する情報とし、下位１ビットの状態でリードスイッチ２の状態を示すようになっている。
【００２１】
このように構成されるＩＤタグ３はリードスイッチ２及びスイッチＳＷ１〜ＳＷ３とともに後述するように筐体内に収納されて一つの部品として扱えるようになっている。
【００２２】
監視部５はＩＤ送受信部５０と、信号処理部５１と、警報／表示部５２と、電源部５３とで構成されており、ＩＤ送受信部５０は、センサ部１のＩＤタグ３との間で交信するための変復調手段及び発振手段からなり、信号処理部５１の制御の下でＩＤタグ３の共振周波数に対応した周波数により起動用信号及びデータ取得用信号を一定間隔でＩＤ３へ送信するとともに、データ取得用信号に呼応したＩＤタグ３からの応用信号を受信するもので、応用信号として送られてくる情報を信号処理部５１に渡すようになっている。
【００２３】
信号処理部５１は、ＩＤタグ３からの応答信号の有／無と、応答信号のＩＤ情報の内容とでセンサ部１の状態を判断する機能を備え、この判断内容に基づいた警報／表示部５２に対して表示動作や警報発報動作を指示する制御機能と、装置を警戒状態のセット／リセットを行う警戒スイッチＳＷとを備えている。尚警戒スイッチＳＷには屋内で操作ができるスイッチ以外に屋外に秘匿されたスイッチを併設しているものとする。
【００２４】
次に本発明の戸締まり監視装置を使用した具体例を説明する。
【００２５】
例１
本例は建物の出入り口に開閉自在に取り付けた建具たるドアの戸締まりを監視するために用いた例であって、例えば外開きの場合には図２に示すようにドア１０の室内側面の片側上部にセンサ部４のマグネット１を取り付け、ドア１０が閉成されたときにマグネット１に対向するドア枠１１の上枠の位置にはセンサ部４の常開型のリードスイッチ２とＩＤタグ３とを収納した筐体１２を取り付けており、ドア１０が閉じられたときにマグネット１の磁力で筐体１２内のリードスイッチ２がオン駆動されるようなっている。つまりＩＤタグ３の４ビット目は、マグネット１の磁力でリードスイッチ２をオン駆動できない位置までドア１０が開成された場合に論理値が”０”，逆にドア１０が閉じられた場合にはリードスイッチ２がマグネット１の磁力でオン駆動された場合に論理値が”１”となり、この論理値でドア１０の開閉状態が示される。
【００２６】
一方センサ部４の状態を監視する監視部５はセンサ部４のＩＤタグ３との間で交信が可能な適宜な位置に配置すれば、戸締まり監視装置の施工が完了する。
【００２７】
次に本例における戸締まり監視装置の動作を説明する。
【００２８】
まず監視部５は警戒状態がセット或いはリセットされていても、ＩＤ送受信部５０からＩＤタグ３に対しては起動信号と、データ取得信号を一定間隔で送信を行っている。
【００２９】
そのためセンサ部４のＩＤタグ３は共振周波数に対応する搬送波で送られてくる無変調の起動信号を受信すると、その電力でコンデンサ３２を充電し、この充電電荷を電源としてタグ制御ＩＣ３０が動作し、データ取得信号が受信復調されたときに、ＩＤ設定端子ｉｎ１〜ｉｎ４の状態を取り込んで４ビットのＩＤ情報を変調波として監視部５に返す動作を行う。
【００３０】
このようにして監視部５とＩＤタグ３との間で交信が行われるため、信号処理部５１はＩＤ情報の４ビット目の論理値でドア１０の開閉状態をモニタする形となり、判断結果に基づく指示を警報／表示部５２に常時送るようになっている。ここで警戒状態がリセットされている場合には、現在のドア１０の開閉状態を表示させる指示を警報／表示部５２に送って、ドア１０の開閉状態を表示させる。これにより住人はドア１０の開閉状態を知ることができる。
【００３１】
一方、警戒状態にセットされている場合には、信号処理部５１はドア１０が開成されていると判断したときには警報発報を警報／表示部５２に指示し、表示とともに警報を発報させる。例えば施錠されているドア錠が不法に解錠されて、侵入者がドア１０を開けた場合などに対処できる。
【００３２】
尚外出に際して警戒状態を屋内でセットする場合には、警戒スイッチＳＷのセット操作後ドア１０を開いて住人が屋外に出て、再度ドア１０を閉めるまでの時間を考慮してセット操作から一定時間遅延させて警戒状態に入るようになっている。また帰宅する場合には屋外に秘匿された警戒スイッチをリセット側に操作することで、警戒状態をリセットすることができ、そのため外側からドア１０を開いても警報は発報されない。
【００３３】
尚図２はドアが外開きの場合であったが、内開きの場合にも対応できるのは言うまでもない。
【００３４】
例２
例１はドア１０に対処したものであったが、ガラス窓に対応させたものが本例であり、図３に示すようにセンサ部４のマグネット１を窓枠１３側に取り付け、ＩＤタグ３及びリードスイッチ２を内装した筐体１２を窓体１４の窓ガラス１５に取り付ける。この筐体１２の取り付け位置は、窓体１４を閉成したときに、筐体１２内のリードスイッチ２がマグネット１の磁力でオン駆動される位置としている。
【００３５】
而して本例も、例１のドア１０の場合と同様に窓体１４の開閉を監視部５でモニタすることで、窓体１４の戸締まり監視が行える。
【００３６】
また、閉成されている窓体１４の窓ガラス１５が破壊され、窓ガラス１５に取り付けている筐体１２が床に落下した場合、ＩＤタグ３と監視部５との交信が維持されている状態ではリードスイッチ２がマグネット１によりオン駆動されないため、信号処理部５１は窓体１４が開いたと判断し、警戒セット状態では警報を警報／表示部５２から発報させる。またＩＤタグ３と監視部５との交信が維持できなくなった場合には、信号処理部５１はセンサ部４の異常と判断して警報発報を警報／表示部５２に指示を出し、警報／表示部５２から警報を発報させる。
【００３７】
このように窓ガラス１５が破壊された場合にあっても警報を発報することで、不法な侵入を防ぐことができる。
【００３８】
例３
上記例２は窓体１４が開くか、窓ガラス１５が破壊されたときに警報発報を行うものであるが、一般に空き巣などは窓ガラスの一部を割ってクレセント錠を解錠し、その後窓体を開いて屋内に侵入することが多い。そこで本例はクレセント錠の施錠／解錠を検知して戸締まりを監視するようにしたものである。
【００３９】
本例では、２枚の引き違いの窓体１４，１４の一方の窓体１４に取り付けたクレセント錠１６のクレセント本体１６ａにマグネット１を、またクレセント受け１５ｂを取り付けた他方の窓体１４の縦桟にＩＤタグ３及びリードスイッチ２を内装した筐体１２を取り付け、クレセント本体１６ａをクレセント受け１５ｂに係止して施錠状態としたときにマグネット１の磁力でリードスイッチ２がオン駆動され、クレセント状態１５が解錠されたときにはマグネット１の磁力による駆動が解除されてオフ復帰するようになっている。
【００４０】
而して監視部５の信号処理部５１はクレセント錠１６の施錠／解錠をＩＤタグ３の応答信号として送られくるＩＤ情報の４ビット目の論理値によって監視し、警戒のリセット状態では、クレセント錠１６の施錠忘れ等を警報／表示部５２の表示で住人に知らせ、また警戒のセット状態では、クレセント錠１６が解錠されたときに警報／表示部５２から警報を発報させ、不法に侵入しようとする者があることを報知する。
【００４１】
尚各例でのマグネット１の取り付け位置と、リードスイッチ２及びＩＤタグ３の取り付け位置とを変えても勿論良い。
【００４２】
更に各例では一つのセンサ部４に対して監視部５が監視する戸締まり監視装置を示しているが、同じ部屋に複数の窓やドアが設けられ、これら窓やドアにセンサ部４を取り付けた場合には、各ＩＤタグ３のＩＤ情報の上位３ビットを異ならせることで、各センサ部４を識別するようにするか、或いは共振周波数を異ならせて各センサ部４を識別可能とすることで、複数のセンサ部４の状態監視を一つの監視部５で行うようにしても良い。
【００４３】
尚クレセント錠によって施錠する窓体は２枚の引き違い窓以外に跳ね上げ式の窓などがあり、これら窓に対応するクレセント錠に本例を適用することができるのは勿論である。
【図面の簡単な説明】
【００４４】
【図１】（ａ）は一実施形態の構成図、（ｂ）は一実施形態に用いる監視部の構成である。
【図２】一実施形態の例１のセンサ部の取り付け状態説明図である。例１を示す。
【図３】一実施形態の例２のセンサ部の取り付け状態説明図である。
【図４】一実施形態の例３のセンサ部の取り付け状態説明図である。
【符号の説明】
【００４５】
１  マグネット
２  リードスイッチ
３  ＩＤタグ
３０  タグ制御ＩＣ
３１  アンテナコイル
３２  コンデンサ
４    センサ部
５    監視部
５０  ＩＤ送受信部
５１  信号処理部
５２  警報／表示部
１２  筐体
ｉｎ１〜ｉｎ４  ＩＤ設定端子
ＳＷ１〜ＳＷ３  スイッチ
【図１】
2006285863.tif 000003
【図２】
2006285863.tif 000004
【図３】
2006285863.tif 000005
【図４】
2006285863.tif 000006